(57)【要約】【課題】高齢者や要介護者が座ったり立ち上がったりしやすく、しかも体を洗いやすい入浴用椅子を提供する。【解決手段】背もたれ部２の背面側及び座部３の下面側に、背もたれ部２を略上下方向での移動させるための機構として、背もたれ部２と座部３とを連結するパイプ７を略上下方向で位置可変に保持する保持装置２０を設ける。パイプ７の下端とガイド管部２２とに、背もたれ部２を最上昇位置と最下降位置に固定するための係止機構として、出没可能機構３０と、ガイド管部２２の係合穴２２ａ、２２ｂを設ける。背もたれ部２の開口５の上側に設けたカバー２ａ内に、操作レバー３６を設け、これにより係止機構の係脱を行わせる。【選択図】　　　　図３
2004008657.tif 000002
【特許請求の範囲】
【請求項１】
背もたれ部と座部と脚部とを有する入浴用椅子であって、上記座部に、上記背もたれ部と上記座部とを連結する管状や棒状の連結部材を略上下方向で位置可変に保持する保持手段を設け、該保持手段が、上記座部下面側への固定部と上記連結部材の略上下方向での移動ガイド部とからなり、該移動ガイド部と上記連結部材が上記背もたれ部を少なくとも最上昇位置に固定可能な係止手段を備え、上記背もたれ部の背面側に該固定状態を解除可能な解除操作手段を備えることを特徴とする入浴用椅子。
【請求項２】
背もたれ部と座部と脚部とを有する入浴用椅子であって、上記背もたれ部と上記座部とを連結する管状や棒状の連結部材を略上下方向で位置可変に保持する保持手段を有し、該保持手段が、上記脚部材の下側から取り付ける固定部と、上記連結部材の略上下方向での移動ガイド部とからなり、該移動ガイド部を上記連結部材を挿通可能な中空部材として上記固定部に対して前方側を上記座面下側へ傾斜させて配設し、上記背もたれ部を最上昇位置と最下降位置に固定可能な上記連結部材の係止手段を備え、該係止手段が、上記連結部材の下端に設けた出没可能部材と、上記移動ガイド部の少なくとも２箇所に設けた上記出没可能部材との係合穴とからなり、上記背もたれ部の背面側に該固定状態を解除可能な解除操作手段を設け、該解除操作手段と上記出没可能部材を連動させる連係部材を上記連結部材内に配してなることを特徴とする入浴用椅子。
【発明の詳細な説明】
【０００１】
【発明の属する技術分野】
本発明は椅子、特に高齢者や要介護者が入浴時の腰掛けに使うのに利用しやすい入浴用椅子に関する。
【０００２】
【従来の技術】
近年の高齢化に伴い介護福祉の充実化が叫ばれているが、その一翼を担うものとして、快適かつ安全に利用できる入浴用の椅子が種々提案されている。
【０００３】
図４はそのような入浴用の椅子の一例を示す。図示の椅子１は主に、背もたれ部２、座部３、脚部４からなり、背もたれ部２には持ち運びの際に手を入れるための開口５が設けてある。座部３の上面には、クッション６が貼り付けてあり、座部３とクッション６には、水はけをよくするための排水穴（図示せず）がいくつか明けてある。
【０００４】
背もたれ部２と座部３は、例えばポリエチレン樹脂で形成し、アルミニウム製のパイプ７で互いに接続して軽量化を図ってある。脚部４も例えばアルミニウム製で、座部３の下面に固定する脚パイプ４ａと、脚パイプ４ａの各先端部にスライド可能に設けた脚先パイプ４ｂとで構成してある。
【０００５】
【発明が解決しようとする課題】
しかしながらこのような従来の入浴用の椅子は、背もたれ部２の位置が固定であるための問題がある。すなわち、利用者が腰を掛けて背もたれ部２に背中をつけ、寄りかかりたいようなときや背もたれ部２につかまって立ち上がりあるいは座ろうとする際に、姿勢を安定させるには上述した例のように背もたれ部２が高い位置にあるほうが好都合であるが、例えば高齢者等が介護者に背中を洗ってもらうようなときには、背もたれ部２が邪魔になることが多い。
【０００６】
そこで本発明は、上述の点を考慮し、背もたれの位置が可変で、介護者体が高齢者や要介護者の体を洗いやすい椅子を提供することを目的とする。
【０００７】
【課題を解決するための手段】
本発明に係る入浴用椅子のうち請求項１に係るものは、上記目的を達成するために、背もたれ部と座部と脚部とを有する入浴用椅子であって、上記座部に、上記背もたれ部と上記座部とを連結する管状や棒状の連結部材を略上下方向で位置可変に保持する保持手段を設け、該保持手段が、上記座部下面側への固定部と上記連結部材の略上下方向での移動ガイド部とからなり、該移動ガイド部と上記連結部材が上記背もたれ部を少なくとも最上昇位置に固定可能な係止手段を備え、上記背もたれ部の背面側に該固定状態を解除可能な解除操作手段を備えることを特徴とする。
【０００８】
同請求項２に係るものは、上記目的を達成するために、背もたれ部と座部と脚部とを有する入浴用椅子であって、上記背もたれ部と上記座部とを連結する管状や棒状の連結部材を略上下方向で位置可変に保持する保持手段を有し、該保持手段が、上記脚部材の下側から取り付ける固定部と、上記連結部材の略上下方向での移動ガイド部とからなり、該移動ガイド部を上記連結部材を挿通可能な中空部材として上記固定部に対して前方側を上記座面下側へ傾斜させて配設し、上記背もたれ部を最上昇位置と最下降位置に固定可能な上記連結部材の係止手段を備え、該係止手段が、上記連結部材の下端に設けた出没可能部材と、上記移動ガイド部の少なくとも２箇所に設けた上記出没可能部材との係合穴とからなり、上記背もたれ部の背面側に該固定状態を解除可能な解除操作手段を設け、該解除操作手段と上記出没可能部材を連動させる連係部材を上記連結部材内に配してなることを特徴とする。
【０００９】
【発明の実施の形態】
以下、本発明に係る入浴用椅子の実施形態を図面を参照して説明する。なお以下では従来の例と同一ないし類似する部分には共通する符号を付して説明する。
図１は、本発明に係る入浴用椅子の一実施形態において背もたれ部を最上位置まで持ち上げてある状態の背面断面図（Ａ）と斜視図（Ｂ）、図２は同背もたれ部を最下位置まで下げた状態の背面断面図（Ａ）、側面図（Ｂ）及び斜視図（Ｃ）である。
【００１０】
本実施形態の入浴用椅子１０は、図４に示す従来の例と同様に、背もたれ部２、座部３、脚部４からなり、背もたれ部２には持ち運びの際に手を入れたり、背もたれ部２を上下させる操作をやりやすくしたりするための開口５が設けてある。なお脚部４はそれぞれ逆Ｕ字状の部材を交差させて座部３の下面にねじやボルトで固定してある。また座部３上にクッションを図示していないが、これは必要に応じて使用するかあるいは取り付ければよい。さらに各部は座りやすいように湾曲させた形状を有するが、これら形状は種々公知の態様を採用すればよいので説明を省略する。
【００１１】
背もたれ部２の背面側及び座部３の下面側には、背もたれ部２を略上下方向での移動させるための機構として、背もたれ部２と座部３とを連結する管状や棒状のパイプ７を略上下方向で位置可変に保持する保持装置２０が設けてある。この保持装置２０は、座部３の下面側に固定する水平固定管部２１とパイプ７の移動をガイドするガイド管部２２とからなる。両管部２１、２２は中空管である。
【００１２】
水平固定管部２１は、脚部４をなす部材の下側からねじやボルトで固定するが、スチール製などの固定管２１ａと、受管部２１ｂからなる。また受管部２１ｂはガイド管部２２と一体に樹脂材等で形成したもので、図示の例ではガイド管部２２が水平面に対して約７５度程度の角度をなすように両者を形成してある。
【００１３】
またパイプ７の下端とガイド管部２２とは、背もたれ部２を最上昇位置と最下降位置に固定するための係止機構を備えている。この係止機構は、パイプ７の下端に設けた出没可能機構３０と、ガイド管部２２の２箇所に設けた係合穴２２ａ、２２ｂとからなる。
【００１４】
図３は出没可能機構３０を拡大して示す断面図である。図示のように出没可能機構３０は、パイプ７内に吊り下げ保持したワイヤ３１、スプリング３２を介してワイヤ３１に吊り下げた下向きの截頭円錐形の球保持部材３３、これを覆う直筒状部材３４、球保持部材３３と直筒状部材３４の間に収納した２個以上の複数個の球３５から構成してある。球３５は、球保持部材３３に設けた開口から外側へ若干突出する状態で保持してある。
【００１５】
この機構は、ワイヤ３１を上に引いていない状態では球保持部材３３がガイド管部２２内で下降しようとし、球保持部材３３の外周面が斜面であることによって球３５が直筒状部材３４の開口から外へ押し出され、そこに係合穴２２ａ、２２ｂが位置していれば、それに若干入り込んで係合し、それによってパイプ７が上下方向で移動できなくなり、位置が固定される。またワイヤ３１を上に引くと、球保持部材３３が直筒状部材３４内で上に動こうとし、それに伴って球３５との間隔が広がり、球３４が直筒状部材３４の開口から内側へ若干入り込み、上述の係合が解かれ、パイプ７が上下方向で動けるようになるというものである。
【００１６】
このような出没機構３０のワイヤ３１の動作を行わせるため、背もたれ部２の開口５の上側に設けたカバー２ａ内には、操作レバー３６が上下方向で若干移動可能に設けてある。この操作レバー３６の両端部にはフック部３７が形成してあり、ワイヤ３１の上端はこのフック部３７に係止してある。図中２ｂは背もたれ部２に設けたガイドで、操作レバー３６はこのガイド２ｂにより上下可能に保持してある。また図中２ｃは背もたれ部２に設けたパイプ７の取り付け保持部である。
【００１７】
すなわち、図示の実施形態の入浴用椅子１０では、利用者が腰を掛けて背もたれ部２に背中をつけたり、あるいは背もたれ部２に寄りかかりたいようなとき、さらには背もたれ部２につかまって立ち上がったり座ったりしようとする時には、図１に示すように背もたれ部２を最上位置まで持ち上げ、出没可能機構３０の上述のような動作により背もたれ部２の位置を最上位のまま固定する。また高齢者等が介護者に背中を洗ってもらうようなときには、操作レバー３６を持ち上げる操作をしてフック部３７でワイヤ３１を少し引き上げ、上側の係合穴２２ａと球３５と係合を解き、パイプ７を下へ下げ、図２に示すように背もたれ部２が背中洗い等の邪魔にならないようにする。なお図示の実施形態では、パイプ７が最下位置まで下がると下側の係合穴２２ｂと球３５とが係合してパイプ７が再び固定されるが、この下側の固定は設けなくてもよい。
【００１８】
もちろん、図２の状態から背もたれ部２を図１に示す最上位置へ戻すには、上記と同様に操作レバー３６を持ち上げる操作をしてフック部３７でワイヤ３１を少し引き上げ、下側の係合穴２２ｂと球３５と係合を解き、開口５に手を入れて背もたれ部２を持ち上げ、再び上側の係合穴２２ａと球３５とが係合するようにすればよい。
【００１９】
【考案の効果】
本発明の入浴用椅子は、以上説明してきたようなものなので、背もたれの位置を簡単に変えることができ、介護者体が高齢者や要介護者の体を非常に洗いやすくなるという効果がある。
【図面の簡単な説明】
【図１】本発明に係る入浴用椅子の一実施形態の背面断面図（Ａ）と斜視図（Ｂ）である。
【図２】同背もたれ部を最下位置まで下げた状態の背面断面図（Ａ）、側面図（Ｂ）及び斜視図（Ｃ）である。
【図３】同出没可能機構を拡大して示す断面図である。
【図４】従来の入浴用椅子を示す斜視図である。
【符号の説明】
２　背もたれ部
２ａ　カバー
２ｂ　操作レバーのガイド
２ｃ　パイプの取り付け保持部
３　座部
４　脚部
５　背もたれ部の開口
７　パイプ
１０　入浴用椅子
２０　保持装置
２１　水平固定管部
２１ａ　固定管
２１ｂ　受管部
２２　ガイド管部
２２ａ、２２ｂ　係合穴
３０　出没可能機構
３１　ワイヤ
３２　スプリング
３３　球保持部材
３４　直筒状部材
３５　球
３６　操作レバー
３７　フック部
【図１】
2004008657.tif 000003
【図２】
2004008657.tif 000004
【図３】
2004008657.tif 000005
【図４】
2004008657.tif 000006